(57)【特許請求の範囲】
【請求項１】
それぞれ包装紙により包装した複数の板状食品を横方向に並べて包装器材に収納した包装体において、
上記包装器材が、主板の下縁に底板を介して前枠板を連設し、該主板の左縁に左側板を介して左枠板を、該主板の右縁に右側板を介して右枠板を連設し、また、該主板の上縁に連結板を介して蓋板を連設した台紙を組み立てて、該主板、底板、左右の側板、並びに前及び左右の枠板によって収納部を形成してなり、
上記複数の板状食品をそれぞれ包装する各包装紙が、上側の抜き取り部と下側の固着部との間にミシン目を有し、そのミシン目を切断し抜き取り部を抜き取って開封可能に構成され、
上記包装紙により包装した複数の板状食品が、上記包装器材に対して、それぞれ各包装紙の上記固着部において固着されており、
各包装紙の上記固着部の上下方向の長さが上記前枠板の上下方向の長さより大きいことを特徴とする包装体。
【請求項２】
上記包装紙により包装した複数の板状食品を左右方向に並べた列が、上記収納部に前後方向に２列に重なった状態で収納され、前列の各板状食品は、その包装紙の固着部の前面が前枠板の内面に固着し、また、後列の各板状食品は、その包装紙の固着部の後面が主板の内面に固着していることを特徴とする請求項１記載の包装体。
【発明の詳細な説明】
【技術分野】
【０００１】
本発明は、ガムやチョコレート等の板状の食品を収納した包装体に関する。
【背景技術】
【０００２】
従来より、ガムやチョコレート等の板状の食品を収納する包装容器として、特許文献１，２に記載のものがある。
これらの文献の包装容器は、板状食品を立てた状態で、かつ、前列よりも後列側が高くなるよう段差を設けて２列に重ねてコンパクトに収納したものである。
これは、包装容器内の板状食品の高さが前列より後列側が高くなるので、その取出しが容易になっている。また、板状食品を包装容器内に仮着しているので、たとえば前列の板状食品を取り出したときに後列の内容物が揺動することが防止される。
取り出した個々の板状食品は、その包装紙を剥離して喫食される。
【特許文献１】特許３９５５３５５号公報
【特許文献２】特許３９５５３５６号公報
【発明の開示】
【発明が解決しようとする課題】
【０００３】
しかし、喫食の際には、取り出した個々の板状食品の包装紙を剥離しなければならないので、片手が塞がっている場合には事実上喫食することが難しい。
【０００４】
そこで、本発明は、板状食品をコンパクトに収納するとともに、片手が塞がっている場合でもその板状食品を容易に取り出して喫食することのできる包装容器の提供を課題とする。
【課題を解決するための手段】
【０００５】
本発明は、それぞれ包装紙２により包装した複数のチューインガム，チョコレート等の板状食品１を横方向に並べて包装器材に収納した包装体において、上記複数の板状食品をそれぞれ包装する各包装紙２が、上側の抜き取り部６と下側の固着部７との間にミシン目を有し、そのミシン目５を切断し抜き取り部６を抜き取って開封可能に構成され、上記包装紙により包装した複数の板状食品１が、上記包装器材８，３１に対して、それぞれ各包装紙２の上記固着部７において固着されている包装体である。
【０００６】
特に、本発明では、上記包装器材８が、主板９の下縁に底板１０を介して前枠板１１を連設し、該主板９の左縁に左側板１２を介して左枠板１３を、該主板９の右縁に右側板１４を介して右枠板１５を連設し、また、該主板９の上縁に連結板１６を介して蓋板１７を連設した台紙を組み立てて、該主板９，底板１０，左右の側板１２，１４，並びに前及び左右の枠板１１，１３，１５によって収納部２０を形成してなり、各包装紙の固着部の上下方向の長さが該前枠板の上下方向の長さより大きいという特徴がある。
【０００７】
本発明では、上記包装紙２により包装した複数の板状食品１を左右方向に並べた列が、上記収納部２０に前後方向に２列に重なった状態で収納され、前列の各板状食品１は、その包装紙２の固着部７の前面７ａが枠板１１の内面に固着し、また、後列の各板状食品１は、その包装紙２の固着部７の後面７ｂが主板９の内面に固着していることが好ましい。
【０００８】
なお本明細書においては、本発明とは別に、上記包装器材３１が、主板３２の下縁に底板３３を介して枠板３４、枠上面板３５、押さえ板３６を連設するとともに、主板３２の上縁に連結板３７を介して蓋板３８を連設し、その蓋板３８の遊端縁に押さえ板３９が連設した台紙を、上記底板３３，枠板３４，枠上面板３５，押さえ板３６を折り曲げ、中空枠状のスペーサー４２を形成し、また、蓋板３８の押さえ板３９を折り曲げて組み立ててなり、収納された上記板状食品１が、主板３２側のものは、その包装紙２の固着部７の端部を、上記押さえ板３６と主板３２の間に挟んで該主板３２に固着され、また、蓋板３８側のものは、その包装紙２の固着部７の端部を、押さえ板３９と蓋板３８の間に挟んで該蓋板３８に固着されている包装体も、本発明の包装体と同様な効果を有するものとして記載される。
【０００９】
上記本発明とは別の包装体においては、上記蓋板３８の係合片４０をスペーサー４２の枠板３４の係合孔４１に係合させて閉蓋されたとき上記主板３２の側と蓋板３８の側に固着された板状食品１が２列に重なった状態となることが好ましい。
【発明の効果】
【００１０】
本発明包装体によれば、板状食品をコンパクトに収納するとともに、片手が塞がっている場合でもその板状食品を容易に取り出して喫食することができる。
【発明を実施するための最良の形態】
【００１１】
以下、本発明を実施するための最良の形態について記載し、併せて、本発明と同様な効果を有する別の形態についても参考までに記載する。
【実施例１】
【００１２】
１は、チューインガム，チョコレート等の板状食品、２は、紙，ポリプロピレン，アルミ等単品のあるいはこれらをラミネートした包装紙で、上記板状食品１の外周を横方向（幅方向）に包んで上下端部３，４を折り返すことにより包装するものである。
その包装紙２の上下方向の中央やや下寄りの位置には、上記ミシン目５が形成されており、このミシン目５を切断することで、上側の抜き取り部６と下側の固着部７とを切り離すことができるようになっている。
【００１３】
８は包装器材で、その台紙は、主板９の下縁に底板１０を介して前枠板１１を連設し、また、上記主板９の左縁に左側板１２を介して左枠板１３を、同じく上記主板９の右縁に右側板１４を介して右枠板１５を連設している。
また、上記主板９の上縁に連結板１６を介して蓋板１７を連設している。１８は上記蓋板１７の先端に設けた係合片、１９は上記前枠板１１に開設された、蓋板１７の閉蓋時にその係合片１８を係合させる係合孔である。
【００１４】
包装器材８は、上記の台紙を組立てて、すなわち、主板９、底板１０，前枠板１１，左右の側板１２，１４、左右の枠板１３，１５を折り曲げ、左右の枠板１３，１５の下部と前枠板１１の左右両端とを接着あるいは溶着等により固着することにより、主板９，底板１０，左右の側板１２，１４，前及び左右の枠板１１，１３，１５によって収納部２０を形成してなるものである。
【００１５】
本実施例の包装体Ａは、上記包装紙２により包装された上記板状食品１を、上記固着部７を包装器材８内に固着した状態で収納部２０内に収納したものである。
この包装器材８の収納部２０には、包装紙２に包装された上記板状食品１を前後２列に重ねた状態で収納できる。収納される板状食品１は、その包装紙２の固着部７において、該包装器材８に固着されている。
具体的には、前列の板状食品１は、その包装紙２の下部の固着部７の前面７ａを枠板１１の内面に固着し、また、後列の板状食品１は、その包装紙２の下部の固着部７の後面７ｂを主板９の内面に固着している。また、前列の板状食品１の包装紙２の固着部７の後面７ｂと後列の板状食品１の包装紙２の固着部７の前面７ａも、必要に応じ適宜固着することができる。なお、その固着は、接着剤や粘着テープによる接着あるいは溶着等により行うことができる。
【００１６】
なお、この包装器材８よりも厚さを薄く、すなわち、底板１０，左右の側板１２，１４，連結板１６の幅を狭くすることで、板状食品１を１列だけ収納する包装器材とすることもできる。
この包装器材に１列に収納される板状食品１は、その包装紙２の下部の固着部７の前面を前枠板１１の内面に、あるいはその固着部７の後面を主板９の内面に固着できる。
【００１７】
上記包装器材８（包装体Ａ）は、蓋板１７の係合片１８を係合孔１９に係合させることにより閉蓋され、板状食品１を２列に重ねて収納したコンパクトな薄板状となる（図５）。
【００１８】
板状食品１を喫食する際には、蓋板１７を開き、該板状食品１を包装している包装紙２の上部を摘んで引くことによりミシン目５を切断し抜き取り部６を抜脱する。
これにより、板状食品１は上方に取出し可能となるので、指で摘み上げるかあるいは直接口で咥えて取り出して、片手が塞がっている場合でも容易に取り出して喫食することができる。
【００１９】
上記のように本包装体Ａは、閉蓋状態でポケットやバッグにしまって携帯しやすい薄板状をなすもので、各板状食品１は包装器材８に固着され、しかも閉蓋されているから持ち運びの際にポケットやバッグの中でバラバラになることもない。また、板状食品１の取り出しも極めて行いやすいものである。  
【実施例２】
【００２０】
Ｂは上記実施例１の包装体Ａと異なる形態の包装体であり、本発明に含まれるものではないが、本発明の包装体と同様の効果を有するものとして、参考までに示すものである。
この包装体Ｂは、包装体Ａとは包装器材の形態を異にするものである。
【００２１】
その包装器材３１の台紙は、主板３２の下縁に底板３３を介して枠板３４、枠上面板３５、押さえ板３６を連設するとともに、主板３２の上縁に連結板３７を介して蓋板３８を連設している。
蓋板３８の遊端縁には押さえ板３９が連設されている。
４０はその押さえ板の中央に形成され蓋板３８の遊端縁に位置する係合片、４１は、上記枠板３４に開設され、蓋板３８の閉蓋時に上記係合片４０を係合させる係合孔である。
【００２２】
この包装器材３１は、上記の台紙を組み立てて、すなわち、底板３３，枠板３４，枠上面板３５，押さえ板３６を折り曲げ、中空枠状のスペーサー４２を形成し、また、蓋板３８の押さえ板３９を折り曲げて組み立てられる。
その組立ての際、上記実施例１と同様に包装紙２により包装された板状食品１を、その包装紙２の固着部７の端部を、上記押さえ板３６と主板３２の間に挟んで接着し、また、上記蓋板３８と押さえ板３９との間に挟んで接着することにより、板状食品を固着して収納する。
【００２３】
蓋板３８を閉じ、その係合片４０を係合孔４１に係合させることにより、包装器材３１（包装体Ｂ）は、主板３２の側と蓋板３８の側に固着された板状食品１を２列に重ねた状態で収納したコンパクトな薄板状となる（図１０）。
【００２４】
板状食品を喫食する際には、蓋板３８を開き、該板状食品１を包装している包装紙２の上部を摘んで引くことによりミシン目５を切断し抜き取り部６を抜脱する。
これにより、板状食品１は上方に取出し可能となるので、指で摘み上げるかあるいは直接口で咥えて取り出して、片手が塞がっている場合でも容易に取り出して喫食することができる。
【００２５】
このように、本包装体Ｂは、包装体Ａと同様に、閉蓋状態でポケットやバッグにしまって携帯しやすい薄板状をなすもので、各板状食品１は包装器材３１に固着され、しかも閉蓋されているから持ち運びの際にポケットやバッグの中でバラバラになることもない。また、板状食品１の取り出しも極めて行いやすいものである。
【図面の簡単な説明】
【００２６】
【図１】本発明の実施例１に係る包装体の開蓋状態の斜視図である。
【図２】上記包装体の開蓋状態の正面図である。
【図３】板状食品を包装している包装紙の抜き取り部を抜き取って、上記包装体に収納された板状食品を取り出した状態の斜視図である。
【図４】上記包装体の開蓋状態の縦断面図である。
【図５】上記包装体の閉蓋状態の縦断面図である。
【図６】参考例として示す実施例２に係る包装体の開蓋状態の斜視図である。
【図７】上記包装体の開蓋状態の正面図である。
【図８】板状食品を包装している包装紙の抜き取り部を抜き取って、上記包装体に収納された板状食品を取りだした状態の斜視図である。
【図９】上記包装体の開蓋状態の縦断面図である。
【図１０】上記包装体の閉蓋状態の縦断面図である。
【符号の説明】
【００２７】
１ 板状食品
２ 包装紙
３ 上端部
４ 下端部
５ ミシン目
６ 抜き取り部
７ 固着部
７ａ 前面
７ｂ 後面
８ 包装器材
９ 主板
１０ 底板
１１ 前枠板
１２ 左側板
１３ 左枠板
１４ 右側板
１５ 右枠板
１６ 連結板
１７ 蓋板
１８ 係合片
１９ 係合孔
２０ 収納部
３１ 包装器材
３２ 主板
３３ 底板
３４ 枠板
３５ 枠上面板
３６ 押さえ板
３７ 連結板
３８ 蓋板
３９ 押さえ板
４０ 係合片
４１ 係合孔
４２ スペーサー
【図１】
0005401040.tif 000002
【図２】
0005401040.tif 000003
【図３】
0005401040.tif 000004
【図４】
0005401040.tif 000005
【図５】
0005401040.tif 000006
【図６】
0005401040.tif 000007
【図７】
0005401040.tif 000008
【図８】
0005401040.tif 000009
【図９】
0005401040.tif 000010
【図１０】
0005401040.tif 000011